【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
第１の制御手段と、
第２の制御手段と、を備え、
前記第１の制御手段と前記第２の制御手段は、画像形成装置による、画像を形成する画像形成動作と、付加動作とを制御する画像形成装置であって、
前記第１の制御手段が前記画像形成動作の開始前に行う第１の起動処理にかかる時間の方が、前記第２の制御手段が前記画像形成動作の開始前に行う第２の起動処理にかかる時間より短い場合は、前記第１の制御手段は、前記第１の起動処理が完了した後、前記第２の起動処理が完了するまでの期間において、前記付加動作のうち前記第１の制御手段が制御可能な前記付加動作を画像形成装置に実行させることを特徴とする画像形成装置。
【請求項２】
第１の制御手段と、
第２の制御手段と、を備え、
前記第１の制御手段と前記第２の制御手段は、画像形成装置による、画像を形成する画像形成動作と、付加動作とを制御する画像形成装置であって、
前記第１の制御手段が前記画像形成動作の開始前に行う第１の起動処理にかかる時間の方が、前記第２の制御手段が前記画像形成動作の開始前に行う第２の起動処理にかかる時間より短い場合は、前記第１の制御手段は、前記第１の起動処理が完了した後、前記第２の起動処理が完了するまでの期間に予め設定した付加時間を加えた期間において、前記付加動作のうち前記第１の制御手段が制御可能な前記付加動作を画像形成装置に実行させることを特徴とする画像形成装置。
【請求項３】
前記第１の起動処理にかかる時間の方が前記第２の起動処理にかかる時間より長い場合は、前記第２の制御手段は、前記第２の起動処理が完了した後、前記第１の起動処理が完了するまでの期間において、前記付加動作のうち前記第２の制御手段が制御可能な前記付加動作を画像形成装置に実行させることを特徴とする請求項１に記載の画像形成装置。
【請求項４】
前記第１の起動処理にかかる時間の方が前記第２の起動処理にかかる時間より長い場合は、前記第２の制御手段は、前記第２の起動処理が完了した後、前記第１の起動処理が完了するまでの期間に前記付加時間を加えた期間において、前記付加動作のうち前記第２の
制御手段が制御可能な前記付加動作を画像形成装置に実行させることを特徴とする請求項２に記載の画像形成装置。
【請求項５】
前記付加動作には複数の動作が含まれており、前記複数の動作には個別に実行閾値が定められており、
前記画像形成動作の実行の頻度を表すカウント値をカウントするカウンタと、前記実行閾値に対する前記カウント値の遠近に基づいて優先度が高いか低いかを判断する優先度判断手段と、をさらに有し、
前記第１の制御手段、又は前記第２の制御手段は、前記複数の動作のうち前記優先度が高いと判断された動作を優先して実行することを特徴とする請求項１乃至４のいずれか１項に記載の画像形成装置。
【請求項６】
前記第１の制御手段、又は前記第２の制御手段は、前記優先度が高いと判断された前記動作のうち前記実行時間の長いものから優先して実行することを特徴とする請求項５に記載の画像形成装置。
【請求項７】
前記付加動作として、トナー残量検知動作、クリーニング動作、トナー吐き出し動作、又は画像処理動作が実行されることを特徴とする請求項１乃至６のいずれか１項に記載の画像形成装置。
【請求項８】
前記第１の制御手段は、画像情報の処理を制御するコントローラであり、第２の制御手段は、画像情報に基づきトナー像の形成を制御するエンジンであることを特徴とする請求項１乃至７のいずれか１項に記載の画像形成装置。
【請求項９】
前記第１の制御手段は、前記付加動作として画像処理動作を実行させ、前記第２の制御手段は、前記付加動作として、トナー残量検知動作、クリーニング動作、又はトナー吐出し動作を実行させることを特徴とする請求項８に記載の画像形成装置。
【請求項１０】
画像形成装置による、画像を形成する画像形成動作と、付加動作とを制御する、第１の制御手段と、第２の制御手段と、を備える画像形成装置の制御方法であって、
前記第１の制御手段が前記画像形成動作の開始前に行う第１の起動処理にかかる時間の方が、前記第２の制御手段が前記画像形成動作の開始前に行う第２の起動処理にかかる時間より短い場合に、前記第１の起動処理が完了した後、前記第２の起動処理が完了するまでの期間において、前記第１の制御手段が、前記付加動作のうち前記第１の制御手段が制御可能な前記付加動作を画像形成装置に実行させるステップ
を備えることを特徴とする画像形成装置の制御方法。
【請求項１１】
画像形成装置による、画像を形成する画像形成動作と、付加動作とを制御する、第１の制御手段と、第２の制御手段と、を備える画像形成装置の制御方法であって、
前記第１の制御手段が前記画像形成動作の開始前に行う第１の起動処理にかかる時間の方が、前記第２の制御手段が前記画像形成動作の開始前に行う第２の起動処理にかかる時間より短い場合に、前記第１の起動処理が完了した後、前記第２の起動処理が完了するまでの期間に予め設定した付加時間を加えた期間において、前記第１の制御手段が、前記付加動作のうち前記第１の制御手段が制御可能な前記付加動作を画像形成装置に実行させるステップ
を備えることを特徴とする画像形成装置の制御方法。
【手続補正２】
【補正対象書類名】明細書
【補正対象項目名】発明の名称
【補正方法】変更
【補正の内容】
【発明の名称】画像形成装置及び画像形成装置の制御方法
【手続補正３】
【補正対象書類名】明細書
【補正対象項目名】０００１
【補正方法】変更
【補正の内容】
【０００１】
本発明は、画像形成装置及び画像形成装置の制御方法に関するものである。
【手続補正４】
【補正対象書類名】明細書
【補正対象項目名】０００６
【補正方法】変更
【補正の内容】
【０００６】
本発明は、第１の制御手段と、第２の制御手段と、を備え、前記第１の制御手段と前記第２の制御手段は、画像形成装置による、画像を形成する画像形成動作と、付加動作とを制御する画像形成装置であって、前記第１の制御手段が前記画像形成動作の開始前に行う第１の起動処理にかかる時間の方が、前記第２の制御手段が前記画像形成動作の開始前に行う第２の起動処理にかかる時間より短い場合は、前記第１の制御手段は、前記第１の起動処理が完了した後、前記第２の起動処理が完了するまでの期間において、前記付加動作のうち前記第１の制御手段が制御可能な前記付加動作を画像形成装置に実行させることを特徴とする。
【手続補正５】
【補正対象書類名】明細書
【補正対象項目名】０００７
【補正方法】変更
【補正の内容】
【０００７】
また、本発明は、第１の制御手段と、第２の制御手段と、を備え、前記第１の制御手段と前記第２の制御手段は、画像形成装置による、画像を形成する画像形成動作と、付加動作とを制御する画像形成装置であって、前記第１の制御手段が前記画像形成動作の開始前に行う第１の起動処理にかかる時間の方が、前記第２の制御手段が前記画像形成動作の開始前に行う第２の起動処理にかかる時間より短い場合は、前記第１の制御手段は、前記第１の起動処理が完了した後、前記第２の起動処理が完了するまでの期間に予め設定した付加時間を加えた期間において、前記付加動作のうち前記第１の制御手段が制御可能な前記付加動作を画像形成装置に実行させることを特徴とする。
また、本発明は、画像形成装置による、画像を形成する画像形成動作と、付加動作とを制御する、第１の制御手段と、第２の制御手段と、を備える画像形成装置の制御方法であって、前記第１の制御手段が前記画像形成動作の開始前に行う第１の起動処理にかかる時間の方が、前記第２の制御手段が前記画像形成動作の開始前に行う第２の起動処理にかかる時間より短い場合に、前記第１の起動処理が完了した後、前記第２の起動処理が完了するまでの期間において、前記第１の制御手段が、前記付加動作のうち前記第１の制御手段が制御可能な前記付加動作を画像形成装置に実行させるステップを備えることを特徴とする。
また、本発明は、画像形成装置による、画像を形成する画像形成動作と、付加動作とを
制御する、第１の制御手段と、第２の制御手段と、を備える画像形成装置の制御方法であって、前記第１の制御手段が前記画像形成動作の開始前に行う第１の起動処理にかかる時間の方が、前記第２の制御手段が前記画像形成動作の開始前に行う第２の起動処理にかかる時間より短い場合に、前記第１の起動処理が完了した後、前記第２の起動処理が完了するまでの期間に予め設定した付加時間を加えた期間において、前記第１の制御手段が、前記付加動作のうち前記第１の制御手段が制御可能な前記付加動作を画像形成装置に実行させるステップを備えることを特徴とする。